(57)【要約】【課題】湾曲した外周面を有する食器の湾曲外周面全面に、熱収縮性フィルムにより絵模様層を熱収縮、熱転写する。【解決手段】熱収縮性フィルム層１と、前記熱収縮性フィルムの一方の面１ａに離型剤層２を介して印刷処理によって形成される絵、模様等の絵模様層３と、絵模様層の上面側に全面的に塗布される接着剤層４とからなる複層フィルムＣＦを準備し、複層フィルムを接着剤層を内側にして筒状に成形し、この筒状の複層フィルムを湾曲面を有する食器（碗状食器）２０の湾曲外周面２１に全面的にあてがって、熱処理によって熱収縮させ、熱収縮処理した後、熱転写ローラ１０を含む熱転写装置によって複層フィルムにおける絵模様層３を湾曲面を有する食器（碗状食器）２０の湾曲外周面２１上に熱転写し、複層フィルム最外層に表面処理層６をオーバーコートしてなる熱収縮性フィルムによる絵模様層を設けた食器およびその製造方法。【選択図】　図１
2004024850.tif 000002
【特許請求の範囲】
【請求項１】
湾曲した外周面を有する食器の湾曲外周面全面に、熱収縮性フィルム層に絵模様等を印刷処理してなる複層フィルムを熱収縮により収縮させ、熱転写により密着転写してなる絵模様層を設けてなることを特徴とする湾曲面を有する食器。
【請求項２】
湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
を含むことを特徴とする熱収縮性フィルムによる絵模様層を設けた湾曲面を有する食器の製造方法。
【請求項３】
湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
前記複層フィルム最外層の熱収縮性フィルムの上に、さらに表面処理層をオーバーコートする工程とからなる、熱収縮性フィルムによる絵模様層を設けた湾曲面を有する食器の製造方法。
【発明の詳細な説明】
【０００１】
【発明の属する技術分野】
この発明は、湾曲した外周面を有する食器の湾曲外周面全面に、熱収縮性フィルムにより絵模様層を密着形成してなる湾曲面を有する食器、特には碗状食器等、および当該食器の湾曲外周面全面に、熱収縮性フィルムにより絵模様層を密着形成するための製造方法に関するものである。
【０００２】
【従来の技術】
周知のように、伝統的に食器として重要であった漆器などは日常の食生活からは姿を消して、むしろ芸術品として珍重されるようになり、ガラスとかプラスチックが、透明性、色彩の豊富さ、さらには清潔性などの観点から日常の食生活用品として有効に合致するものであり、加えて、プラスチック製のものは、強度性の面で、破損しない点において多量に利用されるに至っている。
【０００３】
一方、例えば茶碗、はしなどの食器は、湾曲した外周面を有する食器として提供されてきている。この種の食器をプラスチック製としたものにおいては、その湾曲外周面に絵模様などの装飾を施している。
【０００４】
【発明が解決しようとする課題】
従来、この種のプラスチック製の湾状を有する食器の湾曲外周面に絵模様などの装飾を施こす方法としては、ホットスタンプで直接的に印刷したり、熱転写、インモールド転写などの諸手段で転写することが行われていた。しかしながら、上記する従来の方法は、いずれも装置および印刷方法、転写方法などが複雑であって、結局のところ製品のコスト高という問題点を有していた。
【０００５】
そこで、この発明は、上記するような湾曲した外周面を有する食器に対して、その湾曲外周面全面にむらのない絵模様などの装飾を施してなる熱収縮性フィルムによる絵模様層を設けた食器を提供することにある。
【０００６】
さらに、この発明は、このような熱収縮性フィルムによる絵模様層を設けた食器を極めて簡便な手順にしたがって安定性よく且つ低コストで製造するための熱収縮性フィルムによる絵模様層を設けた食器の製造方法を提供することにある。
【０００７】
【課題を解決するための手段】
この発明は、上記する目的を達成するにあたって、具体的には、湾曲した外周面を有する食器の湾曲外周面全面に、熱収縮性フィルム層に絵模様等を印刷処理してなる複層フィルムを熱収縮により収縮させ、熱転写により密着転写してなる絵模様層を設けてなることを特徴とする湾曲面を有する食器を開示する。
【０００８】
一方、この発明は、上記食器を製造するための製造方法を含むものであって、その第１の構成は、湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
を含むことを特徴とする熱収縮性フィルムによる絵模様層を設けた湾曲面を有する食器の製造方法を開示する。
【０００９】
更に．本発明の方法は、湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
前記複層フィルム最外層の熱収縮性フィルムの上に、さらに表面処理層をオーバーコートする工程とからなる、熱収縮性フィルムによる絵模様層を設けた湾曲面を有する食器の製造方法でありうる。
【００１０】
以下、この発明になる熱収縮性フィルムによる絵模様層を設けた湾曲面を有する食器、並びにその製造方法について、図面に示す具体的な実施例にもとづいて詳細に説明する。図１は、この発明になる熱収縮性フィルムによる絵模様層を設けた湾曲面を有する食器の製造手順を工程順に示すものであり、図１Ａ〜図１Ｄは、熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムＣＦを準備する工程を示す概略的な側断面図、図１Ｅは、当該複層フィルムＣＦを接着剤層を内側にして筒状に成形する工程を示す概略的な側断面図である。
【００１１】
次いで、図２は、この発明になる熱収縮性フィルムによる絵模様層を設けた湾曲面を有する食器の一例の製造手順を示すものであり、図２Ａは、筒状の複層フィルムを食器の外周面に全面的にあてがい、熱処理によって熱収縮させる工程を示す概略的な側断面図、図２Ｂは、熱収縮処理した後、熱転写ローラを含む熱転写装置によって複層フィルムにおける絵模様層を食器の湾曲外周面上に熱転写する工程を示す概略的な側断面図である。
【００１２】
一方、図３は、この発明の実施の形態の一例として、熱収縮性フィルムによる絵模様層を設けた湾曲面を有する食器の製造手順の第１の構成を示すものであり、図３Ａは、熱転写した後、複層フィルム最外層の熱収縮性フィルムを残した状態を示す概略的な拡大側断面図、図３Ｂは、複層フィルム最外層の熱収縮性フィルム上に表面処理層をオーバーコートする工程を示す概略的な拡大側断面図である。
【００１３】
さらに、図４は、この発明の実施の形態の１例である熱収縮性フィルムによる絵模様層を設けた湾曲面を有する食器の製造手順の第２の構成を示すものであり、図４Ａは、熱転写した後、複層フィルム最外層の熱収縮性フィルムを取り除いた状態を示す概略的な拡大側断面図、図４Ｂは、熱収縮性フィルムを取り除いた後、表面処理層をオーバーコートする工程を示す概略的な拡大側断面図である。
【００１４】
以下、この発明になる熱収縮性フィルムによる絵模様層を設けた湾曲面を有する食器の製造手順について説明する。まず、この発明に適用される複層フィルムＣＦは、図１Ａ〜図１Ｄに示す手順にしたがって形成され準備される。図１Ａは、熱収縮性フィルム１を示すものであり、この熱収縮性フィルム１は、例えば、ＰＥＴ（ポリエチレンテレフタレート）シュリンクフィルム、ポリエチレン−シュリンクフィルム、ポリエステル−シュリンクフィルムなどである。
【００１５】
前記熱収縮性フィルム１の表面１ａに離型剤層２を全面塗布形成する（図１Ｂ参照）。この離型剤層２の表面２ａに対して、絵模様層３を印刷手段によって形成する（図１Ｃ参照）。この場合、前記印刷手段は、例えばシルク印刷、オフセット印刷、グラビア印刷などである。印刷処理後、当該印刷面側に前記絵模様層３を覆うように全面的に接着剤層４を塗布形成する（図１Ｄ参照）。このようにして、シート状の複層フィルムＣＦが形成される。
【００１６】
次いで、この発明では、前記シート状の複層フィルムＣＦは、図１Ｅに示すように、当該複層フィルムＣＦにおける接着剤層４側を内側にして筒状に成形される。この場合、筒状の実質径寸法は、装飾加工の対象となる湾曲面を有する食器（碗状食器）２０の最大径部分の径寸法より大きめにしておけばよい。
【００１７】
このようにして成形された筒状の複層フィルムＣＦは、図２Ａに示すように、装飾加工の対象となる湾曲面を有する食器２０に対して挿通してあてがい、例えば、熱風処理などの熱処理によって熱収縮処理される。この段階で、前記筒状の複層フィルムＣＦは、湾曲面を有する食器（碗状食器）２０の湾曲外周面２１に沿って全面的に密着される。
【００１８】
この発明では、前記筒状の複層フィルムＣＦが熱収縮処理された後、さらに、熱収縮性フィルム転写処理がなされる。この熱転写処理は、図２Ｂに示すように、特殊な形態の熱転写ローラ１０を含む熱転写装置によって、前記複層フィルムＣＦにおける絵模様層３を前記湾曲面を有する食器（碗状食器）２０の湾曲外周面２１上に全面的に熱転写される。前記熱転写ローラ１０は、例えば、シリコンローラからなり、装飾加工の対象となる湾曲面を有する食器（碗状食器）２０の湾曲外周面２１に対して対応する湾曲外周面１１を備えたものからなっていて、軸心のまわりに回転する回転体であり、軸方向並びに径方向にそれぞれ往復動可能な駆動機構を含むものからなっている。
【００１９】
さらに、この発明では、前記熱転写処理後、前記複層フィルムＣＦ最外層の熱収縮性フィルム１上に表面処理層６をオーバーコートする工程を含むものからなっている（図３Ａおよび図３Ｂ参照）。
【００２０】
【発明の効果】
以上の構成になるこの発明の熱収縮性フィルムによる絵模様層を設けた湾曲面を有する食器およびその製造方法によれば、湾曲した外周面を有する食器に対して、その湾曲外周面全面にむらのない絵模様などの装飾を極めて簡単に且つ綺麗に形成することができる点において極めて有効に作用するものといえる。
【００２１】
さらに、この発明によれば、熱収縮性フィルムによる絵模様層を設けた湾曲面を有する食器を極めて簡便な手順にしたがって安定性よく且つ低コストで製造することができる点において極めて有効に作用するものといえる。
【図面の簡単な説明】
【図１】１図は、この発明になる熱収縮性フィルムによる絵模様層を設けた湾曲面を有する食器の製造手順を工程順に示すものであり、図１Ａ〜図１Ｄは、熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムＣＦを準備する工程を示す概略的な側断面図、図１Ｅは、当該複層フィルムＣＦを接着剤層を内側にして筒状に成形する工程を示す概略的な側断面図である。
【図２】図２は、この発明になる熱収縮性フィルムによる絵模様層を設けた湾曲面を有する食器の製造手順を示すものであり、図２Ａは、筒状の複層フィルムを湾曲面を有する食器の外周面に全面的にあてがい、熱処理によって熱収縮させる工程を示す概略的な側断面図、図２Ｂは、熱収縮処理した後、熱転写ローラを含む熱転写装置によって複層フィルムにおける絵模様層を湾曲面を有する食器の湾曲外周面上に熱転写する骨英を示す概略的な側断面図である。
【図３】図３は、この発明になる熱収縮性フィルムによる絵模様層を設けた湾曲面を有する食器の製造手順の第一の構成を示すものであり、図３Ａは、熱転写した後、複層フィルム最外層の熱収縮性フィルムを残した状態を示す概略的な拡大側断面図、図３Ｂは、複層フィルム最外層の熱収縮性フィルム上に表面処理層をオーバーコートする工程を示す概略的な拡大側断面図である。
【符号の説明】
ＣＦ　複層フィルム
１；　熱収縮性フィルム
２；　離型剤層
３；　絵模様層
４；　接着剤層
６；　表面処理層
１０；　熱転写ローラ
１１；熱転写ローラの湾曲外周面
２０；碗状食器
２１；湾曲外周面
【図１】
2004024850.tif 000003
【図２】
2004024850.tif 000004
【図３】
2004024850.tif 000005
【手続補正書】
【提出日】平成15年6月16日(2003.6.16)
【手続補正２】
【補正対象書類名】明細書
【補正対象項目名】発明の詳細な説明
【補正方法】変更
【補正の内容】
【発明の詳細な説明】
【０００１】
【発明の属する技術分野】
この発明は、湾曲した外周面を有する食器の湾曲外周面全面に、熱収縮性フィルムにより絵模様層を密着形成してなる湾曲面を有する食器、特には碗状食器等、および当該食器の湾曲外周面全面に、熱収縮性フィルムにより絵模様層を密着形成するための製造方法に関するものである。
【０００２】
【従来の技術】
周知のように、伝統的に食器として重要であった漆器などは日常の食生活からは姿を消して、むしろ芸術品として珍重されるようになり、ガラスとかプラスチックが、透明性、色彩の豊富さ、さらには清潔性などの観点から日常の食生活用品として有効に合致するものであり、加えて、プラスチック製のものは、強度性の面で、破損しない点において多量に利用されるに至っている。
【０００３】
一方、例えば茶碗、はしなどの食器は、湾曲した外周面を有する食器として提供されてきている。この種の食器をプラスチック製としたものにおいては、その湾曲外周面に絵模様などの装飾を施している。
【０００４】
【発明が解決しようとする課題】
従来、この種のプラスチック製の湾状を有する食器の湾曲外周面に絵模様などの装飾を施こす方法としては、ホットスタンプで直接的に印刷したり、熱転写、インモールド転写などの諸手段で転写することが行われていた。しかしながら、上記する従来の方法は、いずれも装置および印刷方法、転写方法などが複雑であって、結局のところ製品のコスト高という問題点を有していた。
【０００５】
そこで、この発明は、上記するような湾曲した外周面を有する食器に対して、その湾曲外周面全面にむらのない絵模様などの装飾を施してなる熱収縮性フィルムによる絵模様層を設けた食器を提供することにある。
【０００６】
さらに、この発明は、このような熱収縮性フィルムによる絵模様層を設けた食器を極めて簡便な手順にしたがって安定性よく且つ低コストで製造するための熱収縮性フィルムによる絵模様層を設けた食器の製造方法を提供することにある。
【０００７】
【課題を解決するための手段】
この発明は、上記する目的を達成するにあたって、具体的には、湾曲した外周面を有する食器の湾曲外周面全面に、熱収縮性フィルム層に絵模様等を印刷処理してなる複層フィルムを熱収縮により収縮させ、熱転写により密着転写してなる絵模様層を設けてなることを特徴とする湾曲面を有する食器を開示する。
【０００８】
一方、この発明は、上記食器を製造するための製造方法を含むものであって、その第１の構成は、湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
を含むことを特徴とする熱収縮性フィルムによる絵模様層を設けた湾曲面を有する食器の製造方法を開示する。
【０００９】
更に．本発明の方法は、湾曲した外周面を有する食器の湾曲外周面全面に、絵模様層を密着形成する方法において、
熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムを準備する工程と、
前記複層フィルムを前記接着剤層を内側にして筒状に成形する工程と、前記筒状の複層フィルムを前記食器の外周面に全面的にあてがい、熱処理によって熱収縮させる工程と、
前記熱収縮処理した後、熱転写ローラを含む熱転写装置によって前記複層フィルムにおける絵模様層を前記食器の外周面上に熱転写する工程と
前記複層フィルム最外層の熱収縮性フィルムの上に、さらに表面処理層をオーバーコートする工程とからなる、熱収縮性フィルムによる絵模様層を設けた湾曲面を有する食器の製造方法でありうる。
【００１０】
【発明の実施の形態】
以下、この発明になる熱収縮性フィルムによる絵模様層を設けた湾曲面を有する食器、並びにその製造方法について、図面に示す具体的な実施例にもとづいて詳細に説明する。図１は、この発明になる熱収縮性フィルムによる絵模様層を設けた湾曲面を有する食器の製造手順を工程順に示すものであり、図１Ａ〜図１Ｄは、熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムＣＦを準備する工程を示す概略的な側断面図、図１Ｅは、当該複層フィルムＣＦを接着剤層を内側にして筒状に成形する工程を示す概略的な側断面図である。
【００１１】
次いで、図２は、この発明になる熱収縮性フィルムによる絵模様層を設けた湾曲面を有する食器の一例の製造手順を示すものであり、図２Ａは、筒状の複層フィルムを食器の外周面に全面的にあてがい、熱処理によって熱収縮させる工程を示す概略的な側断面図、図２Ｂは、熱収縮処理した後、熱転写ローラを含む熱転写装置によって複層フィルムにおける絵模様層を食器の湾曲外周面上に熱転写する工程を示す概略的な側断面図である。
【００１２】
一方、図３は、この発明の実施の形態の一例として、熱収縮性フィルムによる絵模様層を設けた湾曲面を有する食器の製造手順の第１の構成を示すものであり、図３Ａは、熱転写した後、複層フィルム最外層の熱収縮性フィルムを残した状態を示す概略的な拡大側断面図、図３Ｂは、複層フィルム最外層の熱収縮性フィルム上に表面処理層をオーバーコートする工程を示す概略的な拡大側断面図である。
【００１３】
さらに、図４は、この発明の実施の形態の１例である熱収縮性フィルムによる絵模様層を設けた湾曲面を有する食器の製造手順の第２の構成を示すものであり、図４Ａは、熱転写した後、複層フィルム最外層の熱収縮性フィルムを取り除いた状態を示す概略的な拡大側断面図、図４Ｂは、熱収縮性フィルムを取り除いた後、表面処理層をオーバーコートする工程を示す概略的な拡大側断面図である。
【００１４】
以下、この発明になる熱収縮性フィルムによる絵模様層を設けた湾曲面を有する食器の製造手順について説明する。まず、この発明に適用される複層フィルムＣＦは、図１Ａ〜図１Ｄに示す手順にしたがって形成され準備される。図１Ａは、熱収縮性フィルム１を示すものであり、この熱収縮性フィルム１は、例えば、ＰＥＴ（ポリエチレンテレフタレート）シュリンクフィルム、ポリエチレン−シュリンクフィルム、ポリエステル−シュリンクフィルムなどである。
【００１５】
前記熱収縮性フィルム１の表面１ａに離型剤層２を全面塗布形成する（図１Ｂ参照）。この離型剤層２の表面２ａに対して、絵模様層３を印刷手段によって形成する（図１Ｃ参照）。この場合、前記印刷手段は、例えばシルク印刷、オフセット印刷、グラビア印刷などである。印刷処理後、当該印刷面側に前記絵模様層３を覆うように全面的に接着剤層４を塗布形成する（図１Ｄ参照）。このようにして、シート状の複層フィルムＣＦが形成される。
【００１６】
次いで、この発明では、前記シート状の複層フィルムＣＦは、図１Ｅに示すように、当該複層フィルムＣＦにおける接着剤層４側を内側にして筒状に成形される。この場合、筒状の実質径寸法は、装飾加工の対象となる湾曲面を有する食器（碗状食器）２０の最大径部分の径寸法より大きめにしておけばよい。
【００１７】
このようにして成形された筒状の複層フィルムＣＦは、図２Ａに示すように、装飾加工の対象となる湾曲面を有する食器２０に対して挿通してあてがい、例えば、熱風処理などの熱処理によって熱収縮処理される。この段階で、前記筒状の複層フィルムＣＦは、湾曲面を有する食器（碗状食器）２０の湾曲外周面２１に沿って全面的に密着される。
【００１８】
この発明では、前記筒状の複層フィルムＣＦが熱収縮処理された後、さらに、熱収縮性フィルム転写処理がなされる。この熱転写処理は、図２Ｂに示すように、特殊な形態の熱転写ローラ１０を含む熱転写装置によって、前記複層フィルムＣＦにおける絵模様層３を前記湾曲面を有する食器（碗状食器）２０の湾曲外周面２１上に全面的に熱転写される。前記熱転写ローラ１０は、例えば、シリコンローラからなり、装飾加工の対象となる湾曲面を有する食器（碗状食器）２０の湾曲外周面２１に対して対応する湾曲外周面１１を備えたものからなっていて、軸心のまわりに回転する回転体であり、軸方向並びに径方向にそれぞれ往復動可能な駆動機構を含むものからなっている。
【００１９】
さらに、この発明では、前記熱転写処理後、前記複層フィルムＣＦ最外層の熱収縮性フィルム１上に表面処理層６をオーバーコートする工程を含むものからなっている（図３Ａおよび図３Ｂ参照）。
【００２１】
【発明の効果】
以上の構成になるこの発明の熱収縮性フィルムによる絵模様層を設けた湾曲面を有する食器およびその製造方法によれば、湾曲した外周面を有する食器に対して、その湾曲外周面全面にむらのない絵模様などの装飾を極めて簡単に且つ綺麗に形成することができる点において極めて有効に作用するものといえる。
【００２２】
さらに、この発明によれば、熱収縮性フィルムによる絵模様層を設けた湾曲面を有する食器を極めて簡便な手順にしたがって安定性よく且つ低コストで製造することができる点において極めて有効に作用するものといえる。
【図面の簡単な説明】
【図１】１図は、この発明になる熱収縮性フィルムによる絵模様層を設けた湾曲面を有する食器の製造手順を工程順に示すものであり、図１Ａ〜図１Ｄは、熱収縮性フィルム層と、前記熱収縮性フィルムの一方の面に離型剤層を介して印刷処理によって形成される絵、模様等の絵模様層と、前記絵模様層の上面側に全面的に塗布される接着剤層とからなる複層フィルムＣＦを準備する工程を示す概略的な側断面図、図１Ｅは、当該複層フィルムＣＦを接着剤層を内側にして筒状に成形する工程を示す概略的な側断面図である。
【図２】図２は、この発明になる熱収縮性フィルムによる絵模様層を設けた湾曲面を有する食器の製造手順を示すものであり、図２Ａは、筒状の複層フィルムを湾曲面を有する食器の外周面に全面的にあてがい、熱処理によって熱収縮させる工程を示す概略的な側断面図、図２Ｂは、熱収縮処理した後、熱転写ローラを含む熱転写装置によって複層フィルムにおける絵模様層を湾曲面を有する食器の湾曲外周面上に熱転写する骨英を示す概略的な側断面図である。
【図３】図３は、この発明になる熱収縮性フィルムによる絵模様層を設けた湾曲面を有する食器の製造手順の第一の構成を示すものであり、図３Ａは、熱転写した後、複層フィルム最外層の熱収縮性フィルムを残した状態を示す概略的な拡大側断面図、図３Ｂは、複層フィルム最外層の熱収縮性フィルム上に表面処理層をオーバーコートする工程を示す概略的な拡大側断面図である。
【符号の説明】
ＣＦ　複層フィルム
１；　熱収縮性フィルム
２；　離型剤層
３；　絵模様層
４；　接着剤層
６；　表面処理層
１０；　熱転写ローラ
１１；熱転写ローラの湾曲外周面
２０；碗状食器
２１；湾曲外周面